(57)【要約】      （修正有）【課題】第１刃と第２刃が強固に枢着されて円滑に開閉できる理髪用ハサミを提供する。【解決手段】理髪用ハサミは、第１刃１０と、非円形孔を含む第２刃２０と、第１刃に回転可能に設けられた調整部材３１、ロック部材３２及び締結部５０を含む調整機構と、を含む。調整部材は、偏心構造を含み、ロック部材には接続構造が設けられ、偏心構造及び接続構造のうちの一方は、枢支孔を含み、他方は、第１刃及び非円形孔を穿設して枢支孔に接続された枢動ポスト３７を含む。偏心構造及び接続構造のうちの一方は、非円形孔をその形状に合わせるように穿設する軸部４０をさらに含み、締結部は、第２刃とロック部材との間に設けられ、ロック部材及び締結部のうちの一方には、リング歯端面が設けられ、他方には、リング歯端面に当接可能な係止構造が設けられる。【選択図】図２
0003226308.tif 000002
【実用新案登録請求の範囲】
【請求項１】
理髪用ハサミであって、
複数の刃部を含む第１刃と、
複数の刃部及び非円形孔を含み、該刃部と前記第１刃の刃部とが対向して隣接する第２刃と、
前記第１刃に回転可能に設けられた調整部材、ロック部材及び締結部を含む調整機構と、を含み、
前記調整部材は、偏心構造を含み、前記ロック部材には接続構造が設けられ、前記偏心構造及び前記接続構造のうちの一方は、枢支孔を含み、他方は、前記第１刃及び前記非円形孔を穿設して前記枢支孔に接続された枢動ポストを含み、前記偏心構造及び前記接続構造のうちの一方は、前記非円形孔をその形状に合わせるように穿設する軸部をさらに含み、前記締結部は、前記第２刃と前記ロック部材との間に設けられ、前記ロック部材及び前記締結部のうちの一方にはリング歯端面が設けられ、他方には前記リング歯端面に当接可能な係止構造が設けられ、
前記締結部は、変形可能なガスケットであり、前記ガスケットは、厚肉部及び薄肉部を含み、前記係止構造は、前記ガスケットの薄肉部に設けられ、前記薄肉部と前記第２刃とは、間隔を空けて設置される
ことを特徴とする理髪用ハサミ。
【請求項２】
前記係止構造は、係止凸部である
ことを特徴とする請求項１に記載の理髪用ハサミ。
【請求項３】
前記ガスケットには抜け孔が設けられ、前記軸部は、前記抜け孔を穿設し、前記抜け孔は、前記軸部の形状に合わせる
ことを特徴とする請求項１に記載の理髪用ハサミ。
【請求項４】
前記偏心構造は、前記調整部材に設けられた貫通孔及び枢動部材を含み、前記貫通孔は、大径孔、偏心して設けられた小径孔及び前記大径孔と前記小径孔との間に設けられたテーパ孔を含み、前記枢動部材は、頭部、胴部及び前記頭部と前記胴部との間に位置するテーパ凸部を含み、前記頭部は、前記大径孔に設けられ、前記胴部は、前記小径孔を穿設し、前記テーパ凸部は、前記テーパ孔に当接する
請求項１〜３のいずれか１項に記載の理髪用ハサミ。
【請求項５】
前記係止構造は、係止凸部であり、前記ガスケットには抜け孔が設けられ、前記軸部は、前記抜け孔を穿設し、前記抜け孔は、前記軸部の形状に合わせ、前記第２刃には、前記非円形孔と連通する収容溝がさらに設けられ、前記締結部及び前記ロック部材は、前記収容溝内に設けられ、前記ロック部材の最大径方向の断面が前記収容溝の径方向の断面寸法以下であり、前記ロック部材には凹面がさらに設けられ、前記リング歯端面は、前記凹面を囲み、前記偏心構造は、前記調整部材に設けられた貫通孔及び枢動部材を含み、前記貫通孔は、大径孔、偏心して設けられた小径孔及び前記大径孔と前記小径孔との間に設けられたテーパ孔を含み、前記枢動部材は、頭部、胴部及び前記頭部と前記胴部との間に位置するテーパ凸部を含み、前記頭部は、前記大径孔に設けられ、前記胴部は、前記小径孔を穿設し、前記テーパ凸部は、前記テーパ孔に当接し、前記テーパ孔と前記テーパ凸部との間には円弧状のガスケットがさらに設けられ、前記テーパ孔は、前記テーパ凸部の形状に対応し、前記円弧状のガスケットには、前記テーパ凸部の形状に合わせた斜め凹面が設けられ、前記第１刃は軸孔をさらに含み、前記調整部材には、前記軸孔に穿設されたポストがさらに設けられ、前記小径孔は前記ポストを貫通し、前記係止凸部は円弧凸形状をなす
ことを特徴とする請求項１に記載の理髪用ハサミ。
【考案の詳細な説明】
【技術分野】
【０００１】
本考案は、理髪用ハサミに関する。
【背景技術】
【０００２】
従来技術のハサミは、２つの刃体及び枢着部材を含み、該枢着部材は、ロックレバー及びロック部材を含み、該ロックレバーは、該２つの刃体を穿設し、該ロック部材は、該２つの刃体を枢着するために該ロックレバーにロックして設けられる。ハサミは、使用時、２つの刃体が相対的に枢動しながら開閉することにより、髪をカットする。しかしながら、従来技術のハサミがロックレバー及びロック部材のみで接続され、またロックレバーが丸棒状であるので、該２つの刃体を枢動させる時に該ロック部材が該ロックレバーに対して回動して緩めやすくなる。
【０００３】
このため、上記の問題を解決するために、新規で進歩性のある理髪用ハサミを提供する必要がある。
【考案の概要】
【考案が解決しようとする課題】
【０００４】
本考案の主な目的は、第１刃及び第２刃が強固に枢着されて円滑に開閉される理髪用ハサミを提供することである。
【課題を解決するための手段】
【０００５】
上記目的を達成するために、本考案は、理髪用ハサミであって、複数の刃部を含む第１刃と、複数の刃部及び非円形孔を含み、該刃部と該第１刃の刃部とが対向して隣接する第２刃と、該第１刃に回転可能に設けられた調整部材、ロック部材及び締結部を含む調整機構と、を含み、該調整部材は、偏心構造を含み、該ロック部材には接続構造が設けられ、該偏心構造及び該接続構造のうちの一方は、枢支孔を含み、他方は、該第１刃及び該非円形孔を穿設して該枢支孔に接続された枢動ポストを含み、該偏心構造及び該接続構造のうちの一方は、該非円形孔をその形状に合わせるように穿設する軸部をさらに含み、該締結部は、該第２刃と該ロック部材との間に設けられ、該ロック部材及び該締結部のうちの一方にはリング歯端面が設けられ、他方には該リング歯端面に当接可能な係止構造が設けられ、該締結部は、変形可能なガスケットであり、該ガスケットは、厚肉部及び薄肉部を含み、該係止構造は、該ガスケットの薄肉部に設けられ、該薄肉部と該第２刃とは、間隔を空けて設置される。
【図面の簡単な説明】
【０００６】
【図１】本考案の好ましい実施例の概略斜視図である。
【図２】本考案の好ましい実施例の分解図である。
【図３】本考案の好ましい実施例の調整部材の他の方向の斜視図である。
【図４】本考案の好ましい実施例のロック部材及び締結部の斜視図である。
【図５】本考案の好ましい実施例の断面図である。
【図６】本考案の好ましい実施例の調整状態図である。
【図７】本考案の好ましい実施例の調整状態図である。
【考案を実施するための形態】
【０００７】
以下、本考案の可能な実施形態を実施例のみを用いて説明するが、本考案の保護範囲を制限するものではないことを事前に説明する。
【０００８】
図１〜図７を参照して本考案の好ましい実施例を示す。本考案の理髪用ハサミ１は、第１刃１０、第２刃２０及び調整機構３０を含む。
【０００９】
該第１刃１０は、第１方向Ｌ１に間隔を空けて設置された複数の刃部１１を含む。該第２刃２０は、複数の刃部２１及び非円形孔２２を含み、該複数の刃部２１は、該第１方向Ｌ１に間隔を空けて設置され、該第１方向Ｌ１は、該調整機構３０を通過し、該第１刃１０の刃部１１と該第２刃２０の刃部２１とは、対向して隣接する。該調整機構３０は、該第１刃１０に回転可能に設けられた調整部材３１、ロック部材３２及び締結部５０を含み、該調整部材３１は、偏心構造３４を含み、該ロック部材３２には接続構造３５が設けられ、該偏心構造３４及び該接続構造３５のうちの一方は、枢支孔３６を含み、他方は、該第１刃１０及び該非円形孔２２を穿設して該枢支孔３６に接続された枢動ポスト３７を含む。本実施例では、該偏心構造３４は該枢動ポスト３７を含み、該接続構造３５は該枢支孔３６を含み、該枢支孔３６と該枢動ポスト３７とは、互いにネジ止め接続され、該第１刃１０及び該第２刃２０をＸ字状に枢着する。該偏心構造３４及び該接続構造３５のうちの一方は、該非円形孔２２をその形状に合わせるように穿設する軸部４０をさらに含む。該偏心構造３４は、該枢動ポスト３７に接続された該軸部４０を含み、該非円形孔２２は、楕円状、多角状、星形孔であってもよく、本実施例では、該非円形孔２２は四角孔であり、該軸部４０が該非円形孔２２に対して回転することを防止する。該締結部５０は、該第２刃２０と該ロック部材３２との間に設けられ、該ロック部材３２及び該締結部５０のうちの一方にはリング歯端面が設けられ、他方には該リング歯端面に当接可能な係止構造が設けられる。本実施例では、該ロック部材３２に該リング歯端面３２１が設けられ、該締結部５０に該係止構造５１が設けられることにより、該ロック部材３２が該締結部５０に対して回転して緩みにくくなる。これにより、第１刃１０及び第２刃２０は、安定して枢着されて円滑に開閉される。
【００１０】
本実施例では、該締結部５０は、変形可能なガスケットである。他の実施例では、該締結部は、該第２刃の側壁であってもよい。本実施例では、該ガスケットは、厚肉部５２及び薄肉部５３を含み、該係止構造５１は、該ガスケットの薄肉部５３に設けられる。該薄肉部５３と該第２刃２０とが間隔を空けて設置されることにより、該係止構造５１は、該リング歯端面３２１に対して歯飛び及び係合が可能である。該係止構造５１は、係止凸部であってもよい。該ガスケットは、２つのシート部５４から一体に２つ折りされてなり、該厚肉部５２は、該２つのシート部５４が重なる箇所であり、該薄肉部５３は、該２つのシート部５４が重ならない箇所である。他の実施例では、該厚肉部及び該薄肉部は、単層シート体であってもよい。該係止凸部は、円弧凸形状、尖った角をなし、歯状であってもよい。また、該ガスケットには抜け孔５５が設けられ、該軸部４０は、該抜け孔５５を穿設し、該抜け孔５５は、該軸部４０の形状に合わせて該軸部４０に対して回転しないようになる。
【００１１】
該第２刃２０には、該非円形孔２２と連通する収容溝２３がさらに設けられ、該締結部５０及び該ロック部材３２は、該収容溝２３内に設けられる。好ましくは、該ロック部材３２の最大径方向の断面が該収容溝２３の径方向の断面寸法以下であり、このように該ロック部材３２は、該収容溝２３内に安定かつ軸方向に移動可能に収容される。該ロック部材３２には凹面３２２がさらに設けられ、該リング歯端面３２１は該凹面３２２を囲み、該ロック部材３２は、該リング歯端面３２１が該ガスケットと接触することを除いて、該凹面３２２が該ガスケットと接触しておらず、円滑な相対回転及び締結位置決めを達成する。
【００１２】
詳細には、該偏心構造３４は、該調整部材３１に設けられた貫通孔３４１及び枢動部材３４２を含み、該貫通孔３４１は、大径孔３４３、偏心して設けられた小径孔３４４及び該大径孔３４３と該小径孔３４４との間に設けられたテーパ孔３４５を含み、該枢動部材３４２は、頭部３８、胴部３８１及び該頭部３８と該胴部３８１との間に位置するテーパ凸部３９を含み、該頭部３８は、該大径孔３４３に設けられ、該胴部３８１は、該小径孔３４４を穿設し、該テーパ凸部３９は、該テーパ孔３４５に当接する。好ましくは、該テーパ孔３４５と該テーパ凸部３９との間には、円弧状のガスケット６０がさらに設けられる。該テーパ孔３４５は、該テーパ凸部３９の形状に対応し、該円弧状のガスケット６０に該テーパ凸部３９の形状に合わせた斜め凹面６１が設けられることにより、摩擦力を低減させて該調整部材３１の回転を容易にする。他の実施例では、該調整部材は、該枢動部材と一体に形成されてもよい。
【００１３】
本実施例では、該第１刃１０は、軸孔１２をさらに含み、該調整部材３１には、該軸孔１２に穿設されたポスト３１２がさらに設けられ、該小径孔３４４に該ポスト３１２を貫通することにより、該調整部材３１は、該抜け孔５５に対して安定して回転できる。また、該調整部材３１には、複数の位置決め溝３１１がさらに設けられ、該第１刃１０には、該位置決め溝３１１のうちの１つに位置決め可能なボール１３が複数設けられ、段階的に位置決め調整を達成する。該軸孔１２には、径方向に溝部が開設され、該軸部４０が該軸孔１２を穿設するのに有利である。使用時、該調整部材３１を該第１刃１０の該軸孔１２に対して回転させ、該偏心構造３４を該調整部材３１の軸心回りに回転させることにより、該第１刃１０の該複数の刃部１１と該第２刃２０の該複数の刃部２１との該第１方向Ｌ１における相対位置を調整し、該第１刃１０の該複数の刃部１１と該第２刃２０の該複数の刃部２１との相対的隣接面積を変更させ、これによって異なるカット幅を形成する。
【００１４】
以上のように、本考案の理髪用ハサミは、該締結部の該係止構造及び該ロック部材の該リング歯端面により、互いの締結位置決めの効果を達成し、該調整部材と該ロック部材とを強固に接続して相対的に緩みにくくすることができる。
【符号の説明】
【００１５】
１    理髪用ハサミ
１０    第１刃
１２    軸孔
１３    ボール
２０    第２刃
１１，２１    刃部
２２    非円形孔
２３    収容溝
３０    調整機構
３１    調整部材
３１１    位置決め溝
３１２    ポスト
３２    ロック部材
３２１    リング歯端面
３２２    凹面
３４    偏心構造
３４１    貫通孔
３４２    枢動部材
３４３    大径孔
３４４    小径孔
３４５    テーパ孔
３５    接続構造
３６    枢支孔
３７    枢動ポスト
３８    頭部
３８１    胴部
３９    テーパ凸部
４０    軸部
５０    締結部
５１    係止構造
５２    厚肉部
５３    薄肉部
５４    シート部
５５    抜け孔
６０    円弧状のガスケット
６１    斜め凹面
Ｌ１    第１方向
【図１】
0003226308.tif 000003
【図２】
0003226308.tif 000004
【図３】
0003226308.tif 000005
【図４】
0003226308.tif 000006
【図５】
0003226308.tif 000007
【図６】
0003226308.tif 000008
【図７】
0003226308.tif 000009